(57)【特許請求の範囲】
【請求項１】
一側縁及び他側縁を有するマチ部、基端縁及び先端縁を有し、基端縁がマチ部の一側縁に連続する一方のサイドプレート、並びに基端縁及び先端縁を有し、基端縁がマチ部の他側縁に連続する他方のサイドプレートを備え、上記一側縁及び他側縁にて屈曲されることによって各サイドプレートが互いに対向する折畳姿勢と互いに離反する展開姿勢との間で姿勢変化する矩形のバッグ本体と、
各サイドプレートの間に配置され、基端縁及び先端縁を有し、当該基端縁に把手を兼ねる綴じ部が形成された平板状のリーフプレートとを有し、
各サイドプレートの内側中央部及びリーフプレートの両側中央部に上記基端縁から上記先端縁側に向かう横方向又は当該方向に直交する縦方向に延びるように配置され、ジグが挿通されることによる弾性変形に起因した緊迫力によって当該ジグを横方向又は縦方向に固定する筒状弾性帯が設けられ、
上記マチ部の中央部に、上記綴じ部を上記マチ部に着脱自在に連結する綴じ具が設けられているジグバッグ。
【請求項２】
上記綴じ部は、釣人の手が挿入され得る挿入穴を形成するように環状に配置された紐部材からなり、
上記綴じ具は、上記挿入穴に挿入された状態で上記綴じ部を囲繞するように環状に形成される固定姿勢と、上記挿入穴に挿抜自在となる固定解除姿勢との間で姿勢変化可能である請求項１に記載のジグバッグ。
【請求項３】
請求項１に記載のジグバッグに適用されるジグ保持具であって、
各サイドプレートの間に配置され、基端縁及び先端縁を有し、当該基端縁に把手を兼ねる綴じ部が形成された平板状のリーフプレートを有し、
当該リーフプレートの両側中央部に上記基端縁から上記先端縁側に向かう横方向又は当該方向に直交する縦方向に延びるように配置され、ジグが挿通されることによる弾性変形に起因した緊迫力によって当該ジグを横方向又は縦方向に固定する筒状弾性帯が設けられているジグ保持具。
【発明の詳細な説明】
【技術分野】
【０００１】
本発明は、釣用疑似餌を収納するバッグの構造に関するものである。
【背景技術】
【０００２】
釣りのジャンルに「ジギング」と称されるものがある。ジギングにおいて、釣人は、釣竿と、釣糸が巻き取られたリールと、釣糸の先端に装着された疑似餌（一般に「ジグ」と称される。）とを使用する。釣人は、リールに巻き取られた釣糸を開放してジグを沈下させ、釣竿及びリールを操作することによって水中のジグをまるで生きた魚のように泳がせ、ターゲットとなる魚のバイトを誘う。
【０００３】
ところで、ジグは一般に金属から構成されており、その重量は数十グラムから数百グラムまで様々であり、また、そのカラーも様々である。このように従来から多様なジグが提供されている理由は、ターゲットとなる魚に適合するジグのサイズが異なること、釣場の潮流速度に適合した重量のジグが必要になること、また、その日の天候等に適合するジグの色彩が異なること等である。したがって、釣人は、実釣において様々なジグ（通常、２０本〜３０本程度）を用意する必要がある。
【０００４】
複数のジグの持ち運びを便利なものとするために、従来からジグバッグと称されるジグを収納するバッグが提案されている（非特許文献１、非特許文献２参照）。従来のジグバッグは、見開き式に開閉されるタイプのものが一般的である。ジグバッグは、収納されるジグのサイズに応じてジグを縦方向にあるいは横方向に保持し、また、特に小さいサイズのジグを向かい合わせにして保持するようになっている。
【０００５】
【非特許文献１】シャウト！フィッシャーマンズツール  製品カタログ                    インターネット［平成１９年１０月１１日検索］                    URL:http://www.shout-net.com/bag/separatejigbag/separetejigbag.html
【非特許文献２】シャウト！フィッシャーマンズツール  製品カタログ                    インターネット［平成１９年１０月１１日検索］                    URL:http://www.shout-net.com/bag/systemjigbag/systemjigbag.html
【発明の開示】
【発明が解決しようとする課題】
【０００６】
ジグバッグは、複数のジグ挿通部を備えている。各ジグは、ジグ挿通部に挿通されることによってジグバッグ内で仮保持される。しかしながら、従来のジグバッグは、ジグを確実に固定する機能を備えておらず、そのため、ジグバッグ内でジグ同士が衝突して互いに損傷するおそれがあった。また、ジグバッグが開かれたときに、ジグがバッグから落下するおそれもあった。さらに、釣人にとって、実釣においてもっとも使用頻度の高いサイズのジグについては、多数収容できるジグバッグが便利である。
【０００７】
そこで、本発明の目的は、様々なサイズのジグを確実に保持することができ、且つ収納力の調整ができ、釣人の要求に応じて多数のジグを納めることができるジグバッグを提供することである。
【課題を解決するための手段】
【０００８】
(1) 上記目的が達成されるため、本発明に係るジグバッグは、矩形のバッグ本体と、平板状のリーフプレートとを有する。バッグ本体は、一側縁及び他側縁を有するマチ部と、基端縁及び先端縁を有し、基端縁がマチ部の一側縁に連続する一方のサイドプレートと、基端縁及び先端縁を有し、基端縁がマチ部の他側縁に連続する他方のサイドプレートとを備えている。各サイドプレートは、上記一側縁及び他側縁にて屈曲されることによって互いに対向する折畳姿勢と互いに離反する展開姿勢との間で姿勢変化するように構成されている。リーフプレートは、各サイドプレートの間に配置されている。リーフプレートは、基端縁及び先端縁を有し、当該基端縁に把手を兼ねる綴じ部が形成されている。各サイドプレートの内側中央部及びリーフプレートの両側中央部に筒状弾性帯が設けられている。筒状弾性帯は、上記基端縁から上記先端縁側に向かう横方向又は当該方向に直交する縦方向に延びるように配置され、ジグが挿通されることによる弾性変形に起因した緊迫力によって当該ジグを横方向又は縦方向に固定するように構成されている。上記マチ部の中央部に、上記綴じ部を上記マチ部に着脱自在に連結する綴じ具が設けられている。
【０００９】
この発明では、ジグは、バッグ本体及びリーフプレートに設けられた筒状弾性帯に挿通される。これにより、筒状弾性帯は弾性変形し、この弾性変形に起因した緊迫力で当該ジグを確実に固定する。この筒状弾性帯が横方向に配置されることにより、小型ないし中型のジグが固定され得る。複数の筒状弾性帯が縦方向に並設されていてもよい。すなわち、横方向に配置された筒状弾性帯が縦方向に並ぶように設けられていてもよい。この場合は、複数の小型ないし中型のジグが保持されることになる。また、上記筒状弾性帯が縦方向に配置されることにより、中型ないし大型のジグが固定され得る。縦方向に配置された筒状弾性帯が横方向に並ぶように設けられていてもよい。この場合は、複数の中型ないし大型のジグが保持されることになる。さらに、縦方向に配置された筒状弾性帯が縦方向に対向するように設けられていてもよい。この場合は、複数の小型のジグが向かい合わせに並ぶように保持されることになる。
【００１０】
上記リーフプレートは、着脱自在である。したがって、リーフプレートが綴じ具を介してバッグ本体に装着されることにより、多数のジグが収容されることになる。すなわち、リーフプレートが着脱されることにより、ジグバッグの収容力が調整され得る。加えて、リーフプレートがバッグ本体に装着されるための綴じ部は、当該リーフプレートの把手を兼ねているから、釣人は、バッグ本体から取り外されたリーフプレートを容易に持ち運ぶことができる。
【００１１】
(2) 上記綴じ部は、釣人の手が挿入され得る挿入穴を形成するように環状に配置された紐部材から構成されていてもよい。この場合、上記綴じ具は、上記挿入穴に挿入された状態で上記綴じ部を囲繞するように環状に形成される固定姿勢と、上記挿入穴に挿抜自在となる固定解除姿勢との間で姿勢変化可能に構成されているのが好ましい。
【００１２】
リーフプレートの綴じ部が紐部材から構成されることにより、綴じ部が安価に構成され、リーフプレートの製造コストが抑えられる。また、綴じ具は、複数のリーフプレートをバインダ式に綴じることができる。これにより、ジグバッグの収容力が大幅に調整され得る。
【００１３】
(3) また、本発明に係るジグ保持具は、上記ジグバッグに適用されるジグ保持具であって、各サイドプレートの間に配置され、基端縁及び先端縁を有し、当該基端縁に把手を兼ねる綴じ部が形成された平板状のリーフプレートを有し、当該リーフプレートの両側中央部に上記基端縁から上記先端縁側に向かう横方向又は当該方向に直交する縦方向に延びるように配置され、ジグが挿通されることによる弾性変形に起因した緊迫力によって当該ジグを横方向又は縦方向に固定する筒状弾性帯が設けられている。
【００１４】
この発明では、ジグは、バッグ本体及びリーフプレートに設けられた筒状弾性帯に挿通される。これにより、筒状弾性帯は弾性変形し、この弾性変形に起因した緊迫力で当該ジグを確実に固定する。この筒状弾性帯が横方向に配置されることにより、小型ないし中型のジグが固定され得る。複数の筒状弾性帯が縦方向に並設されていてもよい。すなわち、横方向に配置された筒状弾性帯が縦方向に並ぶように設けられていてもよい。この場合は、複数の小型ないし中型のジグが保持されることになる。また、上記筒状弾性帯が縦方向に配置されることにより、中型ないし大型のジグが固定され得る。縦方向に配置された筒状弾性帯が横方向に並ぶように設けられていてもよい。この場合は、複数の中型ないし大型のジグが保持されることになる。さらに、縦方向に配置された筒状弾性帯が縦方向に対向するように設けられていてもよい。この場合は、複数の小型のジグが向かい合わせに並ぶように保持されることになる。
【００１５】
上記リーフプレートを備えたジグ保持具は、バッグ本体に対して着脱自在である。したがって、ジグ保持具が綴じ具を介してバッグ本体に装着されることにより、多数のジグが収容されることになる。すなわち、ジグ保持具が着脱されることにより、ジグバッグの収容力が調整され得る。加えて、ジグ保持具がバッグ本体に装着されるための綴じ部は、当該ジグ保持具の把手を兼ねている。したがって、釣人は、バッグ本体から取り外されたジグ保持具を単体で容易に持ち運ぶことができる。
【００１６】
(4) 上記各サイドプレートの基端縁に上記ジグの一端部が収容されるポケットが設けられていてもよい。
【００１７】
この構成では、ジグが筒状弾性帯に挿通された状態で、当該ジグの一端部がポケットに収容保持される。これにより、ジグが一層確実に保持される。
【００１８】
(5) 上記各サイドプレートの先端縁に上記ジグの他端部を覆うフラップが設けられていてもよい。
【００１９】
この構成では、ジグが筒状弾性帯に挿通された状態で、当該ジグの他端部がフラップによって押さえられる。これにより、ジグがより一層確実に保持される。
【００２０】
(6) 上記フラップは透明であるのが好ましい。
【００２１】
フラップが透明であるから、保持されているジグの種類が釣人にとって一目瞭然であるという利点がある。
【発明の効果】
【００２２】
本発明によれば、様々なサイズのジグが確実に保持され得る。また、ジグバッグの収納力が調整され得るから、釣人は、所望の多数のジグを携行することができる。
【発明を実施するための最良の形態】
【００２３】
以下、適宜図面が参照されつつ、好ましい実施形態に基づいて本発明が詳細に説明される。なお、本実施形態は本発明の一例にすぎず、本発明の要旨を変更しない範囲で適宜変更され得る。
【００２４】
図１は、ジグバッグ１０の外観斜視図であり、ジグバッグ１０の正面２２側を示す。図２は、ジグバック１０の外観斜視図であり、ジグバッグ１０の背面２４側を示す。図３は、ジグバッグ１０の内部構造を示す斜視図であり、ジグ保持具８０が左サイドプレート５０上に配置された状態を示す。図４は、ジグバッグ１０の内部構造を示す斜視図であり、ジグ保持具８０が右サイドプレート４０上に配置された状態を示す。すなわち、後に詳述されるが、ジグバッグ１０は、図１及び図２が示す折畳姿勢と、図３及び図４が示す展開姿勢との間で自由に姿勢変化が可能となっている。
【００２５】
ジギングの実釣においては、重量、サイズ、色彩（カラー）が異なる様々なジグが使用される。本実施形態に係るジグバッグ１０は、種類の異なる複数のジグを収納することができる。ジグバッグ１０の第１の特徴は、様々なサイズのジグが安定的に保持される点である。これにより、ジグバッグ１０に収納されたジグ同士が衝突して互いに損傷することが防止される。また、ジグバッグ１０の第２の特徴は、その収容力が容易に調整され得る点、換言すれば、ジグバッグ１０に収容可能なジグの数が容易に増減されるようになっている点である。
【００２６】
ジグバッグ１０は、バッグ本体２０（本発明のバッグ本体の一例、図３及び図４参照）と、ジグ保持具８０（本発明のジグ保持具の一例、図７及び図８参照）とを有して構成されている。
【００２７】
以下、バッグ本体２０の構成について詳細に説明される。
【００２８】
図１が示すように、ポケット２１がバッグ本体２０の正面２２側に設けられている。ポケット２１は、ジギングに使用される釣道具（例えばリーダー、スイベル、プライヤ等）を収納することができるようになっている。ポケット２１は、シート２７によって構成されている。すなわち、シート２７の下縁及び両側縁がバッグ本体２０の正面２２に固定されることによってポケット２１が形成されている。本実施形態では、シート２７は、メッシュ構造を備えた樹脂シートである。このため、海水に濡れた釣道具がポケット２１に収納された場合であっても、ポケット２１に海水が溜まることが防止される。また、釣人は、ポケット２１に収納されている釣道具をシート２７を通して視認できる。なお、ポケット２１はフラップ２６を備えている。このフラップ２６が開閉することにより、ポケット２１の開口が開放又は閉塞されるようになっている。
【００２９】
バッグ本体２０は、図３及び図４が示す展開姿勢において、平面視で横長の矩形状に形成されている。このバッグ本体２０は、中央プレート３０（本発明のマチ部の一例）と、右サイドプレート４０（本発明の一方のサイドプレートの一例）と、左サイドプレート５０（本発明の他方のサイドプレートの一例）とを有し、これらは一体的に構成されている。
【００３０】
バッグ本体２０は、図示されていない３枚の芯材（本実施形態ではゴム板）を備えている。すなわち、バッグ本体２０は、中央プレート３０の芯材と、右サイドプレート４０の芯材と、左サイドプレート５０の芯材とを有する。そして、これら芯材が樹脂シート１７，１８（図１及び図２参照）で被覆されることによって中央プレート３０、右サイドプレート４０及び左サイドプレート５０が構成されている。
【００３１】
樹脂シート１７，１８は、各プレート３０，４０，５０の芯材の周縁に縫い付けられている（図１から図４参照）。樹脂シート１７は、バッグ本体２０の外側に配置され、バッグ本体２０の外表面を構成する。他方、樹脂シート１８は、バッグ本体２０の内側に配置され、バッグ本体２０の内表面を構成する。そのため、樹脂シート１７は、樹脂シート１８に比べて厚手のものが使用される。樹脂シート１７の材料としては、例えばポリ塩化ビニル（ＰＶＣ）発泡シートが用いられ、樹脂シート１８の材料としては、例えばナイロンシートが用いられる。
【００３２】
中央プレート３０は、短冊状に形成されている。中央プレート３０は、右側縁３１（本発明の一側縁の一例）及び左側縁３２（本発明の他側縁の一例）を備えている。すなわち、中央プレート３０は、横方向１２よりも縦方向１５に長い平面視で略長方形状に形成されている。中央プレート３０は、後述されるように右サイドプレート４０と左サイドプレート５０との間に配置され、両者を繋いでいる。
【００３３】
右サイドプレート４０は、図３において中央プレート３０の右側に設けられている。右サイドプレート４０は、平面視で横方向１２よりも縦方向１５に長い略長方形状に形成されている。右サイドプレート４０の縦方向１５の長さは、中央プレート３０の縦方向の長さと等しい。右サイドプレート４０の横方向１２の長さは、中央プレート３０の横方向の長さよりも長い。右サイドプレート４０の基端縁４１（本発明の基端縁の一例）が中央プレート３０の右側縁３１と連続している（図３参照）。
【００３４】
左サイドプレート５０は、図４において中央プレート３０の左側に設けられている。左サイドプレート５０は、本実施形態では、右サイドプレート４０と同じ大きさに形成されている。左サイドプレート５０の基端縁４４（本発明の基端縁の一例）が中央プレート３０の左側縁３２と連続している（図４参照）。
【００３５】
右サイドプレート４０は、先端縁４５（本発明の先端縁の一例）を備えており、左サイドプレート５０も先端縁６４（本発明の先端縁の一例）を備えている。そして、上記「横方向１２」とは、右サイドプレート４０の基端縁４１から先端縁４５へ向かう方向及び左サイドプレート５０の基端縁４４から先端縁６４へ向かう方向である。したがって、上記「縦方向１５」とは、この横方向１２に対して直交する方向である。
【００３６】
前述のように、バッグ本体２０は、中央プレート３０、右サイドプレート４０及び左サイドプレート５０を構成する３枚のゴム板が樹脂シート１７，１８で連結されている。このため、右サイドプレート４０は、中央プレート３０の右側縁３１において当該中央プレート３０に対して屈曲することができる。また、左サイドプレート５０は、中央プレート３０の左側縁３２において当該中央プレート３０に対して屈曲することができる。したがって、バッグ本体２０は、上記折畳姿勢（図１及び図２参照）と上記展開姿勢（図３及び図４参照）との間で姿勢変化可能となっている。
【００３７】
バッグ本体２０が折畳姿勢に維持された状態では、図１及び図２が示すように、右サイドプレート４０と左サイドプレート５０とが互いに対向する。また、展開姿勢とは、右サイドプレート４０と左サイドプレート５０とが中央プレート３０とほぼ同一平面上に展開された姿勢である。バッグ本体２０が展開姿勢に維持された状態では、右サイドプレート４０と左サイドプレート５０とが互いに離反し、バッグ本体２０の内側が上方に露出する（図３及び図４参照）。バッグ本体２０が展開姿勢に維持された状態でジグが出し入れされ、ジグバッグ１０は、折畳姿勢に維持された状態で釣人によって持ち運ばれる。
【００３８】
図１及び図２が示すように、右サイドプレート４０と左サイドプレート５０との間に連結紐２５が架け渡されている。この連結紐２５にバックル２８が設けられている。このバックル２８は、左サイドプレート５０の外側、すなわち、バッグ本体２０の背面２４側に配置されている。図２が示すようにバックル２８が連結されると、連結紐２５によって右サイドプレート４０の先端縁４５側と、左サイドプレート５０の先端縁６４側とが連結され、バッグ本体２０が折畳姿勢に維持される。また、バックル２８の連結が解除されると、バッグ本体２０が折畳姿勢から展開姿勢へ姿勢変化可能となる。
【００３９】
図１及び図２が示すように、バッグ本体２０は一対の把手１３，１４を備えている。把手１３，１４は、一本の帯状部材の一部が右サイドプレート４０の外側、中央プレート３０の外側及び左サイドプレート５０の外側に縫い付けられることによって形成されている。把手１３にはグリップ２３が設けられている。グリップ２３は、釣人によって把持されるものであり、ゴムなどのクッション性を有する材料で構成されている。このグリップ２３には、面ファスナーが設けられている。図３及び図４が示すように、面ファスナーのうち、フック状に起毛されたフックテープ１６がグリップ２３の内側に設けられており、ループ状に密集して起毛されたループテープ１９がグリップ２３の外側に設けられている。グリップ２３で把手１４を包み込んだ状態で、フックテープ１６をループテープ１９に押し付けるようにグリップ２３を重ね合わせることにより、把手１３と把手１４とが連結される（図１及び図２参照）。
【００４０】
このようなグリップ２３が把手１３に設けられているため、バッグ本体２０が折畳姿勢にされた状態で把手１３，１４が一つに束ねられるようになっている。これにより、釣人は２つの把手１３，１４の両方を同時に容易に把持することができ、ジグバッグ１０を簡単に持ち運ぶことができる。
【００４１】
図５は、中央プレート３０に設けられた連結具３５を示す拡大斜視図である。
【００４２】
図３及び図５が示すように、中央プレート３０の内側の中央部に、連結具３５（本発明の綴じ具の一例）が設けられている。連結具３５は、後に詳述されるジグ保持具８０（図７及び図８参照）の把手８２（本発明の綴じ部の一例）を中央プレート３０に着脱自在に連結するものである。連結具３５は、連結具本体３７と、ドットボタン３３，３４とを有して構成されている。
【００４３】
連結具本体３７は、縦方向１５よりも横方向１２に長い略長方形状のものである。本実施形態においては、連結具本体３７は、可撓性を有するゴムシートと、合成樹脂シートとが互いに縫い合わされて構成されている。連結具本体３７は、中央部１３１、右側部１３２及び左側部１３３を備えており、これらが一体的に形成されている。上記中央部１３１が中央プレート３０に縫い付けられており、上記右側部１３２及び左側部１３３が開放されている。これら右側部１３２及び左側部１３３は、中央部１３１の上側で容易に重なり合うように予め曲げ癖が付けられている（図５参照）。
【００４４】
ドットボタン３３，３４は、雄ボタン３８と雌ボタン３９とを有して構成されている。雄ボタン３８は、連結具本体３７の左側部１３３に縦方向１５に２つ並んで設けられている。雌ボタン３９は、連結具本体３７の右側部１３２に縦方向１５に２つ並んで設けられている。雄ボタン３８及び雌ボタン３９は、互いに係合可能な位置に配置されている。ドットボタン３３，３４を構成する雄ボタン３８及び雌ボタン３９は既知の構造である。すなわち、雄ボタン３８はスタッド部を備え、雌ボタン３９はソケット部を備えており、スタッド部がソケット部に嵌め込まれることによって、両者は所定の結合力で嵌合する。そして、この所定の結合力に抗して雄ボタン３８と雌ボタン３９との嵌合を解除する力が作用した場合には、両者の係合は解除される。
【００４５】
次に、図３及び図６が参照されつつ右サイドプレート４０の内側の構造が説明される。
【００４６】
図６は、右サイドプレート４０の内側の構造を示す要部拡大図であり、同図ではフラップ４８が開かれている。
【００４７】
ポケット４３（本発明のポケットの一例）、保持帯４７（本発明の筒状弾性帯の一例）及びフラップ４８（本発明のフラップの一例）が右サイドプレート４０の内側に設けられている。
【００４８】
ポケット４３は、メッシュ生地４２により構成されている。メッシュ生地４２は、右サイドプレート４０の内側における基端縁４１に沿って配置されている。つまり、ポケット４３は、縦方向１５に延びるように設けられている。メッシュ生地４２は、横方向１２よりも縦方向１５に長い樹脂シートからなる。メッシュ生地４２は、上縁６７を除く周縁が右サイドプレート４０に縫い付けられている。これにより、ジグ１０２は、ポケット４３の上側から（メッシュ生地４２の上縁６７側から）出し入れされ得る。
【００４９】
このポケット４３の深さ、すなわち横方向１２におけるメッシュ生地４２の幅は、後述される保持帯４７に保持されるジグ１０２の長さを考慮して設定されている。横方向１２におけるメッシュ生地４２の長さは、例えばジグ１０２の長さの２５％程度に設定され得る。これにより、ジグ１０２の先端部１０３（本発明の一端部の一例）がポケット４３に収容され、当該先端部１０３がポケット４３に保持される。また、ポケット４３の幅、すなわち縦方向１５におけるメッシュ生地４２の長さは、保持帯４７の位置、各保持帯４７に保持されるジグ１０２の大きさ等を考慮して適切な値に設定されている。本実施形態では、縦方向１５における右サイドプレート４０の全域にわたって保持帯４７が設けられているので、縦方向１５におけるメッシュ生地４２の長さは、縦方向１５における右サイドプレート４０の長さと略等しく設定されている。また、ポケット４３は、縦方向１５へ並べられた複数（例えば２つ）のポケットによって構成されていてもよい。
【００５０】
保持帯４７は、右サイドプレート４０の内側中央部４６に設けられている。具体的には、保持帯４７は、右サイドプレート４０の基端縁４１と先端縁４５との間の略中央の位置に設けられている。保持帯４７は、ジグ１０２の中央部１０４を保持するものである。したがって、保持帯４７は、右サイドプレート４０に収納されるジグ１０２の中央部１０４を安定的に保持可能な位置に設けられている。
【００５１】
保持帯４７は、以下の要領で右サイドプレート４０の内側に設けられる。保持帯４７は、本実施形態では帯状部材４９から構成されている。帯状部材４９は、その長手方向（図６における左右方向）に対して伸縮可能な帯状のゴムからなる。帯状部材４９は、縦方向１５へ撓まされており、このため、保持帯４７は略半円形状に湾曲されている。帯状部材４９のうち右サイドプレート４０と当接する部分が当該右サイドプレート４０に縫い付けられている。これにより、保持帯４７は、横方向１２へ延びる筒状に形成されている。保持帯４７は右サイドプレート４０の内側に配置されており、本実施形態では、右サイドプレート４０の内側に１７個の保持帯４７が設けられている。各保持帯４７は、縦方向１５に並べられている。もっとも、保持帯４７の数は特に制限されるものではない。
【００５２】
なお、各保持帯４７の内部空間の大きさは、保持帯４７に保持されるジグ１０２のサイズを考慮して設定されている。具体的には、保持帯４７の内周長は、ジグ１０２の中央部１０４の外周長よりも短く設定されている。このため、ジグ１０２が保持帯４７に挿通された場合に、ジグ１０２によって保持帯４７が弾性的に拡張される。そして、当該保持帯４７の弾性力に基づく緊迫力によってジグ１０２が右サイドプレート４０に固定される。また、保持帯４７の横方向１２の長さは、ジグ１０２の長さを考慮して適切な値に設定されている。保持帯４７の横方向１２の長さは、ジグ１０２の長さの例えば３０％程度に設定され得る。このため、ジグ１０２が保持帯４７に挿通された場合には、ジグ１０２の中央部１０４が保持帯４７に安定的に保持され、ジグ１０２は、その長手方向が横方向１２に沿うように右サイドプレート４０に固定される（図６参照）。
【００５３】
本実施形態においては、１７個の保持帯４７が縦方向１５に並べられているが、右サイドプレート４０に配置される保持帯４７の数はこれに限定されるものではない。保持帯４７の数は、右サイドプレート４０に保持されるジグ１０２の数や大きさ、保持帯４７の縦方向１５の間隔（ピッチ）を考慮して適宜設定される。また、本実施形態においては、複数の保持帯４７が簡単に形成されるために一本の帯状部材４９が用いられているが、各保持帯４７がそれぞれ別個の帯状部材で形成されていてもよい。
【００５４】
フラップ４８は、右サイドプレート４０の内側の先端縁４５に設けられている。フラップ４８はシート状の部材であって、横方向１２の寸法よりも縦方向１５の寸法の方が長くなるように形成されている。本実施形態では、フラップ４８は、透明な樹脂シートから構成されている。また、特に本実施形態では、このフラップ４８の裏面側にメッシュ生地６８が貼り付けられている。このメッシュ生地６８は、上記メッシュ生地４２と同様のものである。このメッシュ生地６８とフラップ４８とは、互いの周縁同士が縫い合わされることによって重ね合わされている。フラップ４８の一方の縁部、すなわち右サイドプレート４０の先端縁４５側の縁部のみが右サイドプレート４０に縫い付けられており、フラップ４８のその他の周縁は開放されている（図６参照）。
【００５５】
フラップ４８の縦方向１５の長さは、右サイドプレート４０の縦方向１５の幅と略等しく設定されている。また、フラップ４８の横方向１２の長さは、所定寸法に設定されている。フラップ４８の横方向１２の長さは、ジグ１０２の大きさや保持帯４７の位置等を考慮して適宜設定され得るものである。本実施形態においては、横方向１２におけるフラップ４８の長さは、ジグ１０２の長さの４０％程度に設定されている。これにより、ジグ１０２が保持帯４７に保持された状態でフラップ４８が閉じられると、保持帯４７に保持されたジグ１０２の後端部１０５（本発明の他端部の一例）がフラップ４８によって確実に覆われる。
【００５６】
フラップ４８の裏面側には、面ファスナー５１，５８が設けられている。面ファスナー５１，５８は、それぞれ、フック状に起毛されたフックテープ５９と、ループ状に密集して起毛されたループテープ６０とから構成されている。フックテープ５９は、右サイドプレート４０の内側の縦方向１５の両端部に配置されている。ループテープ６０は、フラップ４８が閉じられた際に、フックテープ５９と対向するように、フラップ４８の両端部に設けられている。
【００５７】
面ファスナー５１，５８のループテープ６０をフックテープ５９に押し付けることにより、フラップ４８が右サイドプレート４０に接着される。ジグ１０２が保持帯４７に保持されている場合、ジグ１０２の後端部１０５は、右サイドプレート４０及びフラップ４８に挟み込まれるようにして保持される。右サイドプレート４０に対してフラップ４８が開かれると、フックテープ５９とループテープ６０との係合が解除される。これにより、保持帯４７に保持されているジグ１０２の取り出し及び保持帯４７へのジグ１０２の挿通が容易になる。
【００５８】
なお、本実施形態においては、面ファスナー５１，５８によってフラップ４８の縦方向１５の両端が右サイドプレート４０の内側に接続されるが、フラップ４８の両端は、例えばドットボタン３３，３４と同様のドットボタンによって右サイドプレート４０に固定されるように構成されていてもよい。また、フラップ４８は、縦方向１５に並べられた複数（例えば２つ）のフラップによって構成されていてもよい。
【００５９】
図３及び図４が示すように、右サイドプレート４０及び左サイドプレート５０は、中央プレート３０を挟んで左右対称に構成されている。したがって、左サイドプレート５０の内側の構造については、その詳細な説明が省略される。但し、左サイドプレート５０の内側の構成要素は、対応する右サイドプレート４０の内側の構成要素付された参照符号と同一の符号が付されている。
【００６０】
次に、ジグ保持具８０の構成について詳細に説明される。
【００６１】
図７は、ジグ保持具８０の外観斜視図であり、ジグ保持具８０の表面９０側を示している。図８は、ジグ保持具８０の外観斜視図であり、ジグ保持具８０の裏面９２側を示している。図９は、ジグ保持具８０の表面９０側の要部拡大図であり、フラップ６６が開かれた状態を示している。図１０は、ジグ保持具８０の裏面９２側の要部拡大図であり、フラップ１１７が開かれた状態を示している。
【００６２】
ジグ保持具８０は、リーフプレート８１（本発明のリーフプレートの一例）と、保持帯８６，８７，８８，８９（本発明の筒状弾性帯の一例）と、上記把手８２とを有して構成されている。
【００６３】
リーフプレート８１は、その両側にジグを固定することができる。リーフプレート８１は、基端縁６１（本発明の基端縁の一例）、先端縁６５（本発明の先端縁の一例）、一側端縁７２及び他側端縁７３を備えており、右サイドプレート４０及び左サイドプレート５０と略同じ大きさの平板状に形成されている。リーフプレート８１は、上記各サイドプレート４０、５０と同様に芯材を備えている。この芯材は、各サイドプレート４０，５０の芯材と同様のゴム板からなる。リーフプレート８１は、この芯材の両面に樹脂シート５３，５４が被覆されることによって構成されている。樹脂シート５３，５４は、リーフプレート８１の芯材の周縁に縫い付けられている。樹脂シート５３の材料としては、例えばポリ塩化ビニル（ＰＶＣ）発泡シートが用いられ、樹脂シート５４の材料としては、例えばナイロンシートが用いられる。
【００６４】
リーフプレート８１は長方形に形成されており、リーフプレート８１の短手方向５２（本発明の横方向の一例）の寸法よりも長手方向５５（本発明の縦方向の一例）の寸法が長く設定されている。ジグ保持具８０がバッグ本体２０に連結された状態（図３参照）では、ジグ保持具８０の短手方向５２はバッグ本体２０の横方向１２とほぼ一致し、ジグ保持具８０の長手方向５５はバッグ本体２０の縦方向１５とほぼ一致する。なお、「短手方向５２」とは、基端縁６１から先端縁６５側へ向かう方向である。また、「長手方向５５」とは、この短手方向５２に対して直交する方向である。
【００６５】
把手８２は、リーフプレート８１の基端縁６１に設けられている。釣人は、ジグ保持具８０を持ち運ぶ際に把手８２を把持する。また、把手８２は、後述のように上記連結具３５（図５参照）に連結され得る。この把手８２が連結具３５に連結されることにより、ジグ保持具８０は、バッグ本体２０の中央プレート３０に接続される。このように、把手８２は、ジグ保持具８０をバッグ本体２０に綴じるための部材を兼ねている。把手８２は、釣人が把持しやすい形状に形成されている。すなわち、把手８２は、帯状の紐部材８３（本発明の紐部材の一例）からなる。この紐部材８３は環状に形成され、当該紐部材８３の両端が基端縁６１に縫い付けられている。そのため、把手８２と基端縁６１とによって挿入穴８４（本発明の挿入穴の一例）が形成されている。
【００６６】
ジグ保持具８０の把手８２は、以下の要領で中央プレート３０に連結される。把手８２が中央プレート３０に連結される場合、まず、把手８２によって形成された挿入穴８４に連結具３５の右側部１３２又は左側部１３３（図５参照）が挿入される。そして、右側部１３２が左側部１３３の上側に重ね合わされて、ドットボタン３３，３４の雄ボタン３８と雌ボタン３９とが係合される。これにより、連結具３５は、ジグ保持具８０の把手８２を中央プレート３０に連結した固定姿勢となる。すなわち、「固定姿勢」とは、右側部１３２又は左側部１３３が挿入穴８４に挿入された状態で把手８２を囲繞するように、連結具３５が環状に形成された状態（図３参照）である。
【００６７】
左側部１３３に対して右側部１３２が引き上げられると、上記所定の嵌合力に抗して雄ボタン３８と雌ボタン３９との嵌合が解除される。これにより、連結具３５は、ジグ保持具８０の把手８２を中央プレート３０から取り外し可能な固定解除姿勢となる。すなわち、「固定解除姿勢」とは、挿入穴８４に対して連結具３５の右側部１３２又は左側部１３３を挿抜自在な状態（図５参照）である。
【００６８】
また、釣人は、挿入穴８４に容易に手を挿入することができる。これにより、釣人は、ジグ保持具８０を単体で持ち運ぶことができる。挿入穴８４の大きさは、釣人が挿入穴８４に容易に手を挿入することができるように設定されている。本実施形態においては、挿入穴８４は、長手方向５５における最大幅が１２ｃｍ程度、短手方向５２における最大幅が２．５ｃｍ程度に設定されている。
【００６９】
以下、図７及び図９が参照されつつ、リーフプレート８１の表面９０側の構成について説明される。
【００７０】
図７が示すように、大型のジグ１０８，１１２がリーフプレート８１の表面９０に固定されるようになっている。また、ポケット６３、保持帯８６，８７及びフラップ６６がこのリーフプレート８１の表面９０に設けられている。
【００７１】
ポケット６３は、リーフプレート８１の一側端縁７２に設けられている。ポケット６３は、短手方向５２に延びるように形成されている。ポケット６３は、メッシュ生地６２を有している。メッシュ生地６２は、網目状に形成された樹脂シートからなる。メッシュ生地６２の短手方向５２の寸法は長手方向５５の寸法よりも長くなるように設定されている。メッシュ生地６２は、リーフプレート８１の他側端縁７３側の縁部が開放されており、当該縁部を除く周縁がリーフプレート８１に縫い付けられている。これにより、ジグ１０８，１１２は、長手方向５５に沿ってポケット６３に挿抜され得る。
【００７２】
このポケット６３の深さ、すなわち、メッシュ生地６２の長手方向５５の幅は、所定寸法に設定されている。すなわち、この長手方向５５の幅は、後述の保持帯８６，８７に保持されるジグ１０８，１１２の先端部１０９，１１３（本発明の一端部の一例）が収容され得るように設定されている。また、ポケット６３の幅、すなわちメッシュ生地６２の短手方向５２の長さは、保持帯８６，８７の位置、各保持帯８６，８７に保持されるジグ１０８，１１２の大きさ等を考慮して適切な値に設定される。本実施形態においては、リーフプレート８１の短手方向５２の全域にわたって保持帯８６，８７が設けられているので、メッシュ生地６２の短手方向５２の長さは、リーフプレート８１の短手方向５２の長さと略等しく設定されている。なお、ポケット６３は、短手方向５２に分割されていてもよく、それらが短手方向５２に並べられていてもよい。
【００７３】
保持帯８６，８７は、ジグ１０８，１１２を保持するものである。したがって、保持帯８６，８７は、ジグ１０８，１１２をリーフプレート８１の表面９０に安定的に保持することができる位置に設けられなければならない。本実施形態では、保持帯８６，８７は、リーフプレート８１の表面９０の中央部５６（本発明の両側中央部の一方）に配置されている。具体的には、保持帯８６，８７は、一側端縁７２と他側端縁７３との間に設けられている。
【００７４】
保持帯８６は、以下の要領で形成される。本実施形態では、保持帯８６は、１本の帯状部材６９から構成されている。帯状部材６９は、その長手方向（短手方向５２）に伸縮可能な帯状のゴムである。帯状部材６９は、短手方向５２に撓まされており、略半円状に湾曲している。帯状部材６９のうちリーフプレート８１と当接する部分がリーフプレート８１に縫い付けられている。これにより、保持帯８６は、長手方向５５に延びる筒状に形成されており、当該保持帯８６がリーフプレート８１の表面９０に配置されている。これと同じ要領で保持帯８６がリーフプレート８１の表面９０に設けられている。本実施形態では、１０個の保持帯８６が短手方向５２に並設されている。
【００７５】
保持帯８７は、帯状部材７０から構成されている。帯状部材７０は、帯状部材６９と同様の部材であり、保持帯８７は、保持帯８６と同じ要領で形成されている。保持帯８７は、短手方向５２において保持帯８６と略同じ位置となるように配置されている。図７が示すように、ジグ１０８，１１２は、保持帯８７及び保持帯８６に挿通されることにより、長手方向５５に沿ってリーフプレート８１の表面９０に固定される。したがって、ジグ１０８，１１２は、それらの長手方向が長手方向５５に沿うように、リーフプレート８１の表面９０に固定される。
【００７６】
なお、各保持帯８６，８７の内部空間の広さは、保持帯８６，８７に保持されるジグ１０８，１１２のサイズを考慮して設定されている。具体的には、保持帯８６，８７の内周長は、ジグ１０８，１１２の中央部１１０，１１４の外周長よりも短く設定されている。このため、ジグ１０８が保持帯８６，８７に挿通された場合に、ジグ１０８によって保持帯８６，８７が弾性的に拡張される。これにより、当該保持帯８６，８７の弾性力に起因する緊迫力によってジグ１０８が保持帯８６、８７に保持され、リーフプレート８１の表面９０に固定される。同様に、ジグ１１２は、ジグ１０８と同じ要領でリーフプレート８１の表面９０に固定される。
【００７７】
保持帯８６，８７の長手方向５５の長さ及び保持帯８６，８７の短手方向５２の間隔（ピッチ）は、ジグ１０８やジグ１１２の長さを考慮して適切な値に設定される。また、本実施形態においては、それぞれ１０個の保持帯８６及び保持帯８７が短手方向５２に並べられているが、ジグ保持具８０の表面９０に配置される保持帯８６，８７の数や大きさは、当該表面９０に保持されるジグ１０８，１１２の数や大きさ及び短手方向５２における保持帯８６，８７の間隔を考慮して設定される。
【００７８】
本実施形態においては、保持帯８６，８７は、それぞれ一本の帯状部材６９，７０により構成されている。これにより、保持帯８６，８７が簡単に形成されている。但し、各保持帯８６，８７は、それぞれ個別の帯状部材により形成されていてもよい。また、２つの保持帯８６，８７は、長手方向５５に連続していてもよい。
【００７９】
フラップ６６は、リーフプレート８１の表面９０側の他側端縁７３に設けられている。フラップ６６はシート状の部材であって、フラップ６６の短手方向５２の寸法が長手方向５５の寸法よりも長くなるように設定されている。本実施形態では、フラップ６６は、透明な樹脂シートから構成されている。前述のフラップ４８（図６参照）と同様に、フラップ６６の裏面側にメッシュ生地が設けられている。このメッシュ生地は、フラップ６６の周縁に縫い付けられており、フラップ６６に重ね合わせられている。フラップ６６は、他側端縁７３側の縁部のみがリーフプレート８１に縫い付けられており、その他の縁部は開放されている（図９参照）。
【００８０】
フラップ６６の短手方向５２の長さは、リーフプレート８１の短手方向５２の幅と略等しく設定されている。また、フラップ６６の長手方向５５の幅は、ジグ１１２のサイズや保持帯８６，８７の位置等を考慮して所定寸法に設定されている。すなわち、この所定寸法は、ジグ１１２が保持帯８６，８７に保持された状態でフラップ６６が閉じられた場合に、当該ジグ１１２の後端部１１５がフラップ６６によって覆われるように設定されている。なお、本実施形態では、ジグ１０８の長さは、上記ジグ１０２（図６参照）の長さに比べて短い。このため、図７が示すように、ジグ１０８の後端部１１１はフラップ６６に覆われていない。
【００８１】
フラップ６６の裏面側に面ファスナー７５，７６が設けられている。面ファスナー７５，７６は、それぞれ、図９が示すようにフック状に起毛されたフックテープ７７及びループ状に密集して起毛されたループテープ７８を備えている。フックテープ７７は、リーフプレート８１の表面９０の他側端縁７３側における短手方向５２の両端部に配置されている。また、ループテープ７８は、フラップ６６の短手方向５２の両端部に設けられている。ループテープ７８は、上記メッシュ生地に取り付けられており、フラップ６６が閉じられたときに、フックテープ７７と対向する位置に配置されている。
【００８２】
次に、図８及び図１０を参照しつつ、リーフプレート８１の裏面９２側の構成について説明される。
【００８３】
特に小型のジグ１３５，１３９は、リーフプレート８１の裏面９２に固定されるようになっている。図８が示すように、リーフプレート８１の裏面９２にポケット９４，９５と、保持帯８８，８９と、フラップ１１７とが設けられている。
【００８４】
ポケット９４は、リーフプレート８１の裏面９２側の他側端縁７３に設けられている。ポケット９４は、短手方向５２へ延びるように形成されている。ポケット９４は、メッシュ生地９６を有している。メッシュ生地９６は、網目状に形成された樹脂シートからなる。メッシュ生地９６の短手方向５２の寸法は、長手方向５５よりも長くなるように設定されている。メッシュ生地９６はリーフプレート８１の裏面９２側に縫い付けられており、リーフプレート８１と重ね合わされている。但し、メッシュ生地９６の縁部、すなわちリーフプレート８１の一側端縁７２側の縁部は開放されており、当該縁部を除く周縁がリーフプレート８１の裏面９２側に縫い付けられている。これにより、ジグ１３５は、メッシュ生地９６の上記縁部とリーフプレート８１との間からポケット９４に挿抜されるようになっている。
【００８５】
ポケット９４の深さ、すなわちメッシュ生地９６の長手方向５５の長さは、所定寸法に設定されている。このため、後述の保持帯８８に保持されるジグ１３５の先端部１３６がポケット９４に収容され得るようになっている。また、ポケット９４の幅、すなわち、メッシュ生地９６の短手方向５２の長さは、保持帯８８の位置、各保持帯８８に保持されるジグ１３５のサイズ等を考慮して適切な値に設定される。本実施形態においては、保持帯８８がリーフプレート８１の短手方向５２の全域にわたって設けられているので、メッシュ生地９６の短手方向５２の長さは、リーフプレート８１の短手方向５２の幅と略等しく設定されている。なお、ポケット９４は、短手方向５２に分割されていてもよく、それらのポケットが短手方向５２に並べられていてもよい。
【００８６】
保持帯８８は、リーフプレート８１の裏面９２の中央部５７（本発明の両側中央部の他方）に配置されている。より詳細には、保持帯８８は、当該中央部５７の上記他側端縁７３側に配置されている。換言すれば、保持帯８８は、長手方向５５において、ポケット９４とフラップ１１７との間に配置されている。保持帯８８は、小型のジグ１３５を保持するものである。したがって、保持帯８８は、ジグ１３５を安定的に保持可能な位置に設けられている。
【００８７】
保持帯８８は、以下の要領でリーフプレート８１の裏面９２に形成される。本実施形態では、保持帯８８は、１本の帯状部材１２５から構成されている。帯状部材１２５は、その長手方向（短手方向５２）に弾性的に伸縮可能な帯状のゴムである。帯状部材１２５は、短手方向５２へ撓まされており、略半円形状に湾曲されている。この帯状部材１２５のうちリーフプレート８１の裏面９２と当接する部分が当該リーフプレート８１に縫い付けられている。つまり、保持帯８８は、リーフプレート８１の裏面９２に設けられ、長手方向５５へ延びる筒状に形成されている。これと同じ要領で１６個の保持帯８８が形成されており、各保持帯８８がリーフプレート８１の裏面９２に短手方向５２に並設されている。
【００８８】
保持帯８９は、保持帯８８と同様の要領でリーフプレート８１の裏面９２に形成されている。保持帯８９は、リーフプレート８１の裏面９２の中央部５７に配置されている。より詳細には、保持帯８９は、当該中央部５７の一側端縁７２側に配置されている。保持帯８９は、１本の帯状部材１２６から構成されている。この帯状部材１２６は、上記帯状部材１２５と同様の部材である。帯状部材１２６は、その長手方向（短手方向５２）に弾性的に伸縮可能な帯状のゴムである。帯状部材１２６は、短手方向５２へ撓まされており、略半円形状に湾曲されている。この帯状部材１２６のうちリーフプレート８１の裏面９２と当接する部分が当該リーフプレート８１に縫い付けられている。つまり、保持帯８９は、リーフプレート８１の裏面９２に設けられ、長手方向５５へ延びる筒状に形成されている。これと同じ要領で１０個の保持帯８９がリーフプレート８１の裏面９２に形成されており、各保持帯８９が短手方向５２に並設されている。また、保持帯８９の内部空間は、保持帯８８の内部空間よりも広くなるように形成されている。このため、保持帯８９は、ジグ１３５よりも大型のジグ１３９を保持することが可能である。
【００８９】
本実施形態においては、リーフプレート８１の裏面９２に１６個の保持帯８８及び１０個の保持帯８９が設けられている。これら保持帯８８，８９の数や大きさは、裏面９２に固定されるジグ１３５，１３９の大きさや形状に応じて適宜変更されることが好ましい。また、本実施形態においては、保持帯８８，８９は、それぞれ１本の帯状部材１２５，１２６によって簡単に形成されている。但し、各保持帯８８，８９が個別の帯状部材により構成されていてもよいことは勿論である。
【００９０】
フラップ１１７は、リーフプレート８１の裏面９２の中央５７に設けられている。フラップ１１７はシート状に形成されており、フラップ１１７の短手方向５２の寸法は、長手方向５５の寸法よりも若干長くなるように設定されている。本実施形態では、フラップ１１７は、透明な樹脂シートから構成されている。上記フラップ６６と同様に、フラップ１１７の裏面側にメッシュ生地が設けられている。このメッシュ生地は、フラップ１１７の周縁に縫い付けられており、フラップ１１７と重ね合わされている。フラップ１１７は、図８が示すようにリーフプレート８１に縫い付けられている。具体的には、フラップ１１７の中央部がリーフプレート８１の中央に短手方向５２に沿って縫い付けられている。したがって、フラップ１１７の左側部１２８及び右側部１２９は、上記中央５７を基点にして起伏開閉することができるようになっている。
【００９１】
フラップ１１７の短手方向５２の長さは、リーフプレート８１の短手方向５２の幅と略等しく設定されている。また、フラップ１１７の長手方向５５の長さは、ジグ１３５，１３９の長さや保持帯８８，８９の位置等を考慮して設定されている。すなわち、フラップ１１７の長手方向５５の長さは、ジグ１３５が保持帯８８に保持された状態で左側部１２８がジグ１３５の後端部１３８を覆い且つジグ１３９が保持帯８９に保持された状態で右側部１２９がジグ１３９の後端部１４２を覆うように設定されている。
【００９２】
フラップ１１７の裏面側に面ファスナー１１８〜１２１が設けられている。図１０が示すように、これら面ファスナー１１８〜１２１は、それぞれ、フック状に起毛されたフックテープ１２２と、ループ状に密集して起毛されたループテープ１２３とから構成されている。面ファスナー１１８，１１９のフックテープ１２２は、リーフプレート８１の裏面９２の略中央部に設けられている。より詳細には、フックテープ１２２は、リーフプレート８１の短手方向５２の両端部に配置され、保持帯８８と隣接している。面ファスナー１１８，１１９のループテープ１２３は、フラップ１１７に設けられたメッシュ生地の裏側に配置されている。このループテープ１２３は、フラップ１１７の左側部１２８の短手方向５２の両端部に設けられている。ループテープ１２３は、フラップ１１７が閉じられた状態で上記フックテープ１２２と対向するように配置されている。
【００９３】
図示されていないが、面ファスナー１２０，１２１のフックテープは、リーフプレート８１の裏面９２の略中央部に設けられている。つまり、面ファスナー１２０，１２１のフックテープは、リーフプレート８１の短手方向５２の両端部であって保持帯８９と隣接する位置に設けられている。面ファスナー１２０，１２１のループテープは、フラップ１１７に設けられたメッシュ生地の裏側に設けられている。面ファスナー１２０，１２１のループテープは、フラップ１１７の右側部１２９の短手方向５２の両端部に設けられている。当該ループテープは、フラップ１１７が閉じられたときに、上記フックテープと対向するように配置されている。
【００９４】
本実施形態では、ジグ保持具８０は、バッグ本体２０に対して着脱可能に構成されている。ジグ保持具８０が前述の要領でバッグ本体２０に連結されることによって、ジグバッグ１０に保持可能なジグの数が増える。逆に、前述の要領でバッグ本体２０からジグ保持具８０が取り外されることによって、ジグバッグ１０に保持可能なジグの数が減少する。なお、本実施形態においては、バッグ本体２０に対して１つのジグ保持具８０が連結されるが、複数のジグ保持具８０がバッグ本体２０に連結具３５を介して連結されていてもよいことは勿論である。
【００９５】
本実施形態に係るジグバッグ１０は、実釣において以下のように使用される。
【００９６】
バッグ本体２０が折畳姿勢（図１及び図２参照）にあるとき、釣人は、グリップ２３を開くとともに、バックル２８を操作して右サイドプレート４０と左サイドプレート５０との連結を解除する。続いて釣人は、バッグ本体２０を折畳姿勢から展開姿勢（図３及び図４参照）へ姿勢変化させる。これにより、バッグ本体２０の内側が露出する。釣人は、例えば右サイドプレート４０にジグ１０２を収納する場合、図６が示すようにフラップ４８を開く。そして、釣人は、ジグ１０２を先端縁４５側から基端縁４１側へ向けて保持帯４７に挿通させる。ジグ１０２が保持帯４７に挿入されると、保持帯４７の内部空間がジグ１０２によって弾性的に拡張され、したがって、ジグ１０２は、保持帯４７の弾性力によって締め付けられる。すなわち、ジグ１０２は、保持帯４７の弾性変形に起因した緊迫力（保持帯４７がジグ１０２を締め付ける力）によって固定される。
【００９７】
ジグ１０２が保持帯４７にさらに挿し込まれると、ジグ１０２の先端部１０３が保持帯４７の内部空間から基端縁４１側へ抜け出して、ポケット４３に収容される。その結果、ジグ１０２の中央部１０４が保持帯４７に保持されるとともに、当該ジグ１０２の先端部１０３がポケット４３に保持される。なお、ジグ１０２の中央部１０４は先端部１０３及び後端部１０５に比べて太く形成されているので、ジグ１０２は、中央部１０４が保持帯４７内に配置されることによって強固に保持される。また、ポケット４３がメッシュ生地４２で構成されているので、メッシュ生地４２とジグ１０２の先端部１０３との摩擦力によって、先端部１０３の縦方向１５への移動が規制される。加えて、ジグ１０２に海水が付着したときであっても、当該海水がメッシュ生地４２を通過してポケット４３から排水されるという利点がある。
【００９８】
釣人は、前述の要領で単一の又は複数のジグ１０２を右サイドプレート４０に収納した後、フラップ４８を閉じてループテープ６０をフックテープ５９に押し付ける。これにより、ジグ１０２の後端部１０５がフラップ４８に覆われる。その結果、ジグ１０２の後端部１０５がフラップ４８と右サイドプレート４０の先端縁４５側とによって挟み込まれるように保持される。なお、フラップ４８の裏面側にはメッシュ生地６８が設けられているので、当該メッシュ生地６８とジグ１０２の後端部１０５との摩擦力によって、後端部１０５の縦方向１５への移動が規制される。また、左サイドプレート５０にもポケット４３、保持帯４７、及びフラップ４８が設けられているので、釣人は、左サイドプレート５０にも同じ要領でジグを収納することができる。
【００９９】
ところで、ジグ保持具８０（図７及び図８参照）は、前述のように、連結具３５によって中央プレート３０に固定されている。バッグ本体２０が折畳姿勢（図１及び図２参照）に維持された状態では、ジグ保持具８０は、右サイドプレート４０と左サイドプレート５０との間に挟み込まれる。このように、ジグ保持具８０は、バッグ本体２０に固定された状態において、各サイドプレート４０，５０の間に配置される。一方、バッグ本体２０が展開姿勢に維持された状態では、ジグ保持具８０は、いわゆるリーフのように左サイドプレート５０上又は右サイドプレート４０上に配置される。図３は、ジグ保持具８０が左サイドプレート５０上に配置された状態を示している。この状態では、リーフプレート８１の表面９０（図７参照）及び右サイドプレート４０の内側が露出しており、釣人は、リーフプレート８１の表面９０及び右サイドプレート４０にジグを収納することができる。図４は、ジグ保持具８０が右サイドプレート４０上に配置された状態を示している。この状態では、リーフプレート８１の裏面９２（図８参照）及び左サイドプレート５０の内側が露出しており、釣人は、リーフプレート８１の裏面９２及び左サイドプレート５０にジグを収納することができる。
【０１００】
釣人は、例えばリーフプレート８１の表面９０（図７参照）にジグ１１２を収納する場合、図９が示すようにフラップ６６を開く。そして、釣人は、ジグ１１２を他側端縁７３側から一側端縁７２側へ向けて保持帯８７、保持帯８６に順に挿通させる。保持帯８７，８６は、ジグ１１２が挿入されることによって弾性的に拡張され、ジグ１１２は、保持帯８７及び保持帯８６によって締め付けられる。すなわち、ジグ１１２は、保持帯８７，８６の弾性変形に起因した緊迫力（保持帯８７，８６がジグ１１２を締め付ける力）によって長手方向５５に固定される。
【０１０１】
このようにしてジグ１１２が保持帯８７，８６に保持された状態からさらに挿し込まれると、ジグ１１２の先端部１１３が保持帯８６から一側端縁７２側へ抜け出して、ポケット６３に収容される。その結果、ジグ１１２の中央部１１４が保持帯８６及び保持帯８７に保持されるとともに、当該ジグ１１２の先端部１１３がポケット６３に保持される。ジグ１１２の中央部１１４は先端部１１３及び後端部１１５に比べて太くなるように形成されているので、ジグ１１２は、中央部１１４が保持帯８６，８７内に配置されることによって強固に保持される。また、ポケット６３がメッシュ生地６２（図７参照）で構成されているので、メッシュ生地６２とジグ１１２の先端部１１３との摩擦力によって、先端部１１３の短手方向５２への移動が制止される。さらに、ジグ１１２に海水が付着したときであっても、当該海水がメッシュ生地６２を通過してポケット６３から排水されるという利点がある。
【０１０２】
釣人は、前述の要領で単一の又は複数のジグ（ジグ１１２やジグ１０８）をリーフプレート８１の表面９０に収納した後、フラップ６６を閉じてループテープ７８をフックテープ７７に押し付ける。これにより、ジグ１１２の後端部１１５がフラップ６６に覆われる（図７参照）。その結果、ジグ１１２の後端部１１５がフラップ６６とリーフプレート８１の他側端縁７３側とによって挟み込まれるように保持される。なお、フラップ６６の裏面側にはメッシュ生地が設けられているので、当該メッシュ生地とジグ１１２の後端部１１５との摩擦力によって、後端部１１５の短手方向５２への移動が制止される。
【０１０３】
釣人は、リーフプレート８１の裏面９２（図８参照）に例えばジグ１３５を収納する場合、図１０が示すようにフラップ１１７の左側部１２８を開く。そして、釣人は、ジグ１３５を一側端縁７２側から他側端縁７３側へ向けて保持帯８８に挿通させる。保持帯８８にジグ１３５が挿入されることによって保持帯８８弾性的に拡張され、ジグ１３５は、保持帯８８の弾性力によって締め付けられる。すなわち、ジグ１３５は、保持帯８８の弾性変形に起因した緊迫力（保持帯８８がジグ１３５を締め付ける力）によって長手方向５５に固定される。
【０１０４】
ジグ１３５が保持帯８８にさらに挿し込まれると、ジグ１３５の先端部１３６が保持帯８８から他側端縁７３側へ抜け出して、ポケット９４に収容される。その結果、ジグ１３５の中央部１３７が保持帯８８に保持されるとともに、当該ジグ１３５の先端部１３６がポケット９４に保持される。ジグ１３５の中央部１３７は先端部１３６及び後端部１３８に比べて太くなるように形成されているので、ジグ１３５は、中央部１３７が保持帯８８内に配置されることによって強固に保持される。また、ポケット９４がメッシュ生地９６により構成されているので、メッシュ生地９６とジグ１３５の先端部１３６との摩擦力によって、先端部１３６の短手方向５２への移動が規制される。加えて、ジグ１３５に海水が付着した場合であっても、当該海水がメッシュ生地９６を通過してポケット９４から排水されるという利点がある。
【０１０５】
釣人は、前述の要領で単一の又は複数個のジグ１３５をリーフプレート８１の裏面９２に収納した後、フラップ１１７の左側部１２８を閉じてループテープ１２３をフックテープ１２２に押し付ける。これにより、ジグ１３５の後端部１３８がフラップ１１７に覆われる（図８参照）。その結果、ジグ１３５の後端部１３８がフラップ１１７とリーフプレート８１の裏面９２側の中央部とによって挟み込まれるように保持される。なお、フラップ１１７の裏面側にはメッシュ生地が設けられているので、当該メッシュ生地とジグ１３５の後端部１３８との摩擦力によって、後端部１３８の短手方向５２への移動が規制される。
【０１０６】
なお、ジグ１３９は、リーフプレート８１の裏面９２の一側端縁７２側に収納される。ジグ１３９の収納要領は、ジグ１３５を収納する要領と同様であるため、その説明は省略される。また、釣人は、ジグをリーフプレート８１の表面９０及び裏面９２に収納する場合、連結具３５を固定姿勢（図３参照）から固定解除姿勢（図５参照）へと変化させ、ジグ保持具８０をバッグ本体２０から取り外した状態で行うことも可能である。
【０１０７】
以上のように、本実施形態に係るジグバッグ１０では、ジグが保持帯４７，８６〜８９に挿通されることによって保持帯４７，８６〜８９が弾性変形し、この弾性変形に起因した緊迫力で様々なサイズのジグが確実に固定される。これにより、釣人が釣行に際してジグバッグ１０を携行したときに、ジグ同士が衝突して互いに損傷することが防止される。また、本実施形態では、ジグが保持帯４７，８６〜８９に挿通された状態で、ジグの先端部はポケット４３，６３，９４，９５に収容保持され、ジグの後端部はフラップ４８，６６，１１７によって押さえられる。このため、ジグが一層確実に保持されるという利点もある。
【０１０８】
本実施形態では、フラップ４８，６６，１１７が透明である。したがって、保持されているジグの種類が釣人にとって一目瞭然である。
【０１０９】
本実施形態では、バッグ本体２０にジグ保持具８０が着脱自在に設けられている。ジグ保持具８０が連結具３５を介してバッグ本体２０に装着されることにより、ジグバッグ１０に多数のジグが収容され得る。つまり、ジグ保持具８０が着脱されることにより、ジグバッグ１０の収容力が調整され得る。換言すれば、釣人は、ジグ保持具８０をジグバッグ１０に着脱することにより、ジグバッグ１０に収納されているジグを一つ一つ取り出したり、あるいはジグバッグ１０にジグを一つ一つ収納したりすることなく、ジグバッグ１０に収納されるジグの数を大幅に変更できる。
【０１１０】
さらに、ジグバッグ１０が連結具３５を備えていることから、釣人は、複数のジグ保持具８０をジグバッグ１０にバインダ式に綴じることができる。したがって、ジグバッグ１０の収容力（収容可能なジグの数）は、より大幅に調整され得る。加えて、ジグ保持具８０のリーフプレート８１がバッグ本体２０に装着されるための把手８２は、リーフプレート８１をバッグ本体２０に綴じるための手段として機能する。このため、釣人は、バッグ本体２０から取り外されたジグ保持具８０の把手８２を容易に把持することができ、これにより、ジグ保持具８０を単体で容易に持ち運ぶことができる。なお、把手８２が紐部材から構成されているので、把手８２が安価に構成され、ジグ保持具８０の製造コストが抑えられるという利点もある。
【０１１１】
なお、本実施形態では、ジグは、右サイドプレート４０及び左サイドプレート５０に横方向１２に固定されるが、ジグが縦方向１５に沿って固定されるように、保持帯４７、ポケット４３及びフラップ４８の向きが変更されてもよい。
【０１１２】
本実施形態では、ジグは、リーフプレート８１の表面９０及び裏面９２に長手方向５５に固定されるが、ジグが短手方向５２に沿って固定されるように、保持帯８６〜８９、ポケット６３，９４，９５及びフラップ６６，１１７の向きが変更されてもよい。
【０１１３】
本実施形態では、バッグ本体２０にポケット４３が設けられ、リーフプレート８１にポケット６３，９４，９５が設けられている。ただし、保持帯４７，８６〜８９及びフラップ４８，６６，１１７によりジグが安定的に保持される場合、あるいは、保持帯４７，８６〜８９単独によりジグが安定的に保持される場合には、必ずしもこれらのポケット４３，６３，９４，９５が設けられている必要はない。
【０１１４】
本実施形態では、フラップ４８，６６，１１７は透明である。ただし、フラップ４８，６６，１１７は必ずしも透明である必要はない。そのような場合であっても、釣人がジグの種類を容易に確認できるように、フラップ４８，６６，１１７が形成されているのが好ましい。
【０１１５】
本実施形態では、バッグ本体２０がフラップ４８を備え、リーフプレート８１がフラップ６６，１１７を備えている。ただし、保持帯４７，８６〜８９及びポケット４３，６３，９４，９５によりジグが安定的に保持される場合、あるいは、保持帯４７，８６〜８９単独によりジグが安定的に保持される場合には、必ずしもこれらのフラップ４８，６６，１１７が設けられている必要はない。
【産業上の利用可能性】
【０１１６】
本発明は、釣用疑似餌を収納するバッグに適用され得る。
【図面の簡単な説明】
【０１１７】
【図１】図１は、本発明の一実施形態に係るジグバッグの外観斜視図である。
【図２】図２は、本発明の一実施形態に係るジグバックの外観斜視図である。
【図３】図３は、本発明の一実施形態に係るジグバッグの内部構造を示す斜視図である。
【図４】図４は、本発明の一実施形態に係るジグバッグの内部構造を示す斜視図である。
【図５】図５は、本発明の一実施形態に係る中央プレートに設けられた連結具の拡大斜視図である。
【図６】図６は、本発明の一実施形態に係る右サイドプレートの内側の構造を示す要部拡大図である。
【図７】図７は、本発明の一実施形態に係るジグ保持具の外観斜視図である。
【図８】図８は、本発明の一実施形態に係るジグ保持具の外観斜視図である。
【図９】図９は、本発明の一実施形態に係るジグ保持具の要部拡大図である。
【図１０】図１０は、本発明の一実施形態に係るジグ保持具の要部拡大図である。
【符号の説明】
【０１１８】
１０・・・ジグバッグ（本発明のジグバッグの一例）
１２・・・横方向
１５・・・縦方向
２０・・・バッグ本体
３０・・・中央プレート
３１・・・右側縁（本発明の一側縁の一例）
３２・・・左側縁（本発明の他側縁の一例）
３５・・・連結具（本発明の綴じ具の一例）
４０・・・右サイドプレート（本発明の一方のサイドプレートの一例）
４１，６１・・・基端縁
４３，６３，９４，９５・・・ポケット
４５，６５・・・先端縁
４６・・・内側中央部
４７，８６，８７，８８，８９・・・保持帯（本発明の筒状弾性帯の一例）
４８，６６，１１７・・・フラップ
５０・・・左サイドプレート（本発明の他方のサイドプレートの一例）
５２・・・短手方向（本発明の横方向の一例）
５５・・・長手方向（本発明の縦方向の一例）
５６・・・中央部（本発明の両側中央部の一方）
５７・・・中央部（本発明の両側中央部の他方）
８０・・・ジグ保持具
８１・・・リーフプレート
８２・・・綴じ部
８３・・・紐部材
８４・・・挿入穴
１０２，１０８，１１２，１３５，１３９・・・ジグ
【図１】
0005015728.tif 000002
【図２】
0005015728.tif 000003
【図３】
0005015728.tif 000004
【図４】
0005015728.tif 000005
【図５】
0005015728.tif 000006
【図６】
0005015728.tif 000007
【図７】
0005015728.tif 000008
【図８】
0005015728.tif 000009
【図９】
0005015728.tif 000010
【図１０】
0005015728.tif 000011